(57)【要約】【課題】幅規制のガタつきを排除し、その精度を所定レベル以上に確保し、銘板ラベルのようにそのサイズが比較的小さくても印字用紙の幅方向における正確なガイドないし幅規制を可能とした印字用紙の幅ガイド装置を提供すること。【解決手段】ラックアンドピニオンの代わりにエンドレスワイヤ２５、２６を用いて左右一対の幅規制板を位置調節することに着目し、印字用紙の幅方向に移動調節可能な左右一対の幅規制板２１、２２と、印字用紙の幅方向左右に設けた一対のプーリー２３、２４と、プーリー２３、２４に沿ってループ状に掛け回してワイヤループ３６、４３を形成するエンドレスワイヤ２５、２６を有し、ワイヤループ３６、４３を二分して互いに対向する一対のワイヤ固定部位３８、４５において幅規制板２１、２２を固定し、幅規制板２１、２２の移動調節にともなってエンドレスワイヤ２５、２６がプーリー２３、２４に沿って作動させることを特徴とする。【選択図】図３
2011046512.tif 000002
【特許請求の範囲】
【請求項１】
用紙印字部において所定の情報を印字するための帯状の印字用紙を前記用紙印字部に向かう移送路においてその左右幅部をガイド可能とする印字用紙の幅ガイド装置であって、
前記印字用紙の左右側端部にそれぞれ接触してこれをガイド可能とするように前記印字用紙の幅方向に移動調節可能な左右一対の幅規制板と、
この幅規制板の移動調節方向を含む規制平面内に回転するように前記印字用紙の幅方向左右に設けた少なくとも一対のプーリーと、
これらのプーリーに沿ってループ状に掛け回してワイヤループを形成するエンドレスワイヤと、
を有するとともに、
前記エンドレスワイヤの前記ワイヤループを二分して互いに対向する一対のワイヤ固定部位において前記それぞれの幅規制板を固定し、前記幅規制板の前記印字用紙の幅方向における移動調節にともなって前記エンドレスワイヤが前記プーリーに沿って作動するようにしたことを特徴とする印字用紙の幅ガイド装置。
【請求項２】
前記エンドレスワイヤあるいは前記プーリーの少なくともいずれか一方を固定可能なガイドセット機構を設けていることを特徴とする請求項１記載の印字用紙の幅ガイド装置。
【請求項３】
前記プーリーは、
前記幅規制板の下方部においてこれを設けていることを特徴とする請求項１または２記載の印字用紙の幅ガイド装置。
【請求項４】
前記プーリーは、
前記幅規制板の左右外方部において前記印字用紙の幅方向に沿ってこれを設けていることを特徴とする請求項１ないし３のいずれかに記載の印字用紙の幅ガイド装置。
【請求項５】
前記プーリーは、
前記印字用紙の幅方向に沿ってその一対を設けるとともに、前記印字用紙の移送方向に沿ってその他の一対を設けているとともに、
前記エンドレスワイヤは、
この二対のプーリーにこれを掛け回して単一の前記ワイヤループを形成することを特徴とする請求項１ないし４のいずれかに記載の印字用紙の幅ガイド装置。
【請求項６】
前記プーリーは、
前記印字用紙の幅方向に沿ってその一対を設けるとともに、前記印字用紙の移送方向に沿ってその他の一対を設けているとともに、
前記エンドレスワイヤは、
それぞれの対のプーリーにそれぞれ掛け回して二本の前記ワイヤループを形成することを特徴とする請求項１ないし４のいずれかに記載の印字用紙の幅ガイド装置。
【請求項７】
前記ガイドセット機構は、
前記プーリーの軸方向に沿って上下動し、前記プーリーを固定状態とするセット位置および前記プーリーの固定状態を解除するセット解除位置に操作可能な可動セットプレートを有することを特徴とする請求項２記載の印字用紙の幅ガイド装置。
【請求項８】
前記ガイドセット機構は、
前記プーリーの軸方向に沿って上下動する可動セットプレートと、
この可動セットプレートとの間に前記プーリーあるいはエンドレスワイヤの少なくともいずれか一方を挟持して固定可能な固定セットプレートと、を有することを特徴とする請求項２記載の印字用紙の幅ガイド装置。
【請求項９】
前記ガイドセット機構は、
前記幅規制板とは異なる部位に設けた操作レバーの操作により、前記エンドレスワイヤあるいは前記プーリーの少なくともいずれか一方を固定および解除可能としていることを特徴とする請求項２、７または８記載の印字用紙の幅ガイド装置。
【発明の詳細な説明】
【技術分野】
【０００１】
本発明は印字用紙の幅ガイド装置にかかるもので、とくに用紙印字部において所定の情報を印字するための帯状の印字用紙を、用紙印字部に向かう移送路においてその左右幅部をガイド可能とする印字用紙の幅ガイド装置に関するものである。
【背景技術】
【０００２】
従来から、帯状のラベル連続体やタグなどの印字用紙に各種の情報を印字して表示するための印字用紙用プリンターにおいて、一般的には印字用紙をロール状に巻いてプリンター内の用紙供給部に装填し、この用紙供給部から移送路上を用紙印字部に向かって帯状に繰り出すようにしている。
とくに、印字用紙として、たとえば各種機器の品番や特定情報を示すための銘板ラベルなどのラベル連続体を用いる場合には、帯状の台紙上にその複数枚を仮着しているラベル片（銘板ラベル）のサイズが比較的小さい場合が多く、移送されてゆくラベル連続体（ラベル片）と用紙印字部との相対的位置を正確に設定可能として、とくに印字位置精度を所定範囲内に確保する必要がある。
すなわち、用紙供給部における回転体としてのロール状印字用紙から帯状に印字用紙を繰り出し、移送路上を移送する際に、印字用紙の幅方向を規制ガイドして、移送路上の蛇行を防止するとともに、移送の安定性を確保し、用紙印字部における印字用紙上の印字位置を正確に得ることができるようにすることが必要である。
【０００３】
用紙供給部からの印字用紙をガイドし、幅規制する構成として、たとえば特許文献１のように、ラックアンドピニオン方式を採用した場合には、左右のガイド部材のラックを中央のピニオンギアに係合させることにより、印字用紙を移送路の中心に位置させたままで、移送路の幅方向中心線から左右に等間隔に印字用紙の左右側端部を位置させるように幅規制が可能である。
【０００４】
しかしながら、ラックアンドピニオン方式においては、ピニオンギアとラックとの間におけるそれぞれのギアの間でバックラッシュがあるため、すなわち、幅規制がいわばデジタル的に行われるため、両部品間のガタつきを排除することができず、このガタつき分だけガイドの合わせ幅（幅規制）の精度が低下するという問題がある。
しかも、上述のように、用紙供給部に装填する印字用紙の種類ないし大小によっては、用紙印字部におけるその印字位置精度をきびしく設定可能としなければならない場合があるという問題がある。
【０００５】
さらに、幅規制した状態のガイドをその状態に保持するためのロック機構および解除機構を、上述のような幅規制機構とは別に設ける必要があるという問題がある。
【先行技術文献】
【特許文献】
【０００６】
【特許文献１】特開２００３−１４６４９３号公報
【発明の概要】
【発明が解決しようとする課題】
【０００７】
本発明は以上のような諸問題にかんがみなされたもので、幅規制の精度を所定レベル以上に確保可能な印字用紙の幅ガイド装置を提供することを課題とする。
【０００８】
また本発明は、幅規制のガタつきを排除して、印字用紙の幅方向における正確なガイドないし幅規制を可能とした印字用紙の幅ガイド装置を提供することを課題とする。
【０００９】
また本発明は、銘板ラベルのようにそのサイズが比較的小さいものであっても、その幅規制を精度よく良好に行うことができる印字用紙の幅ガイド装置を提供することを課題とする。
【課題を解決するための手段】
【００１０】
すなわち本発明は、従来からのラックアンドピニオンの代わりに、エンドレスワイヤによるワイヤループを用いて左右一対の幅規制板を位置調節可能に作動させることに着目したもので、用紙印字部において所定の情報を印字するための帯状の印字用紙を上記用紙印字部に向かう移送路においてその左右幅部をガイド可能とする印字用紙の幅ガイド装置であって、上記印字用紙の左右側端部にそれぞれ接触してこれをガイド可能とするように上記印字用紙の幅方向に移動調節可能な左右一対の幅規制板と、この幅規制板の移動調節方向を含む規制平面内に回転するように上記印字用紙の幅方向左右に設けた少なくとも一対のプーリーと、これらのプーリーに沿ってループ状に掛け回してワイヤループを形成するエンドレスワイヤと、を有するとともに、上記エンドレスワイヤの上記ワイヤループを二分して互いに対向する一対のワイヤ固定部位において上記それぞれの幅規制板を固定し、上記幅規制板の上記印字用紙の幅方向における移動調節にともなって上記エンドレスワイヤが上記プーリーに沿って作動するようにしたことを特徴とする印字用紙の幅ガイド装置である。
【００１１】
上記エンドレスワイヤあるいは上記プーリーの少なくともいずれか一方を固定可能なガイドセット機構を設けることができる。
【００１２】
上記プーリーは、上記幅規制板の下方部においてこれを設けることができる。
【００１３】
上記プーリーは、上記幅規制板の左右外方部において上記印字用紙の幅方向に沿ってこれを設けることができる。
【００１４】
上記プーリーは、上記印字用紙の幅方向に沿ってその一対を設けるとともに、上記印字用紙の移送方向に沿ってその他の一対を設けているとともに、上記エンドレスワイヤは、この二対のプーリーにこれを掛け回して単一の上記ワイヤループを形成することができる。
【００１５】
上記プーリーは、上記印字用紙の幅方向に沿ってその一対を設けるとともに、上記印字用紙の移送方向に沿ってその他の一対を設けているとともに、上記エンドレスワイヤは、それぞれの対のプーリーにそれぞれ掛け回して二本の上記ワイヤループを形成することができる。
【００１６】
上記ガイドセット機構は、上記プーリーの軸方向に沿って上下動し、上記プーリーを固定状態とするセット位置および上記プーリーの固定状態を解除するセット解除位置に操作可能な可動セットプレートを有することができる。
【００１７】
上記ガイドセット機構は、上記プーリーの軸方向に沿って上下動する可動セットプレートと、この可動セットプレートとの間に上記プーリーあるいはエンドレスワイヤの少なくともいずれか一方を挟持して固定可能な固定セットプレートと、を有することができる。
【００１８】
上記ガイドセット機構は、上記幅規制板とは異なる部位に設けた操作レバーの操作により、上記エンドレスワイヤあるいは上記プーリーの少なくともいずれか一方を固定および解除可能としていることができる。
【発明の効果】
【００１９】
本発明による印字用紙の幅ガイド装置においては、左右一対の幅規制板と、少なくとも一対のプーリーと、ワイヤループを形成するエンドレスワイヤと、を有するとともに、エンドレスワイヤのワイヤループを二分して互いに対向する一対のワイヤ固定部位においてそれぞれの幅規制板を固定し、上記エンドレスワイヤと上記幅規制板とを一体に動作可能とし、すなわち、幅規制板の印字用紙の幅方向における移動調節にともなってエンドレスワイヤがプーリーに沿って周回作動するようにしたので、エンドレスワイヤによるワイヤループが幅規制の誤差なしに回転することとなり、いわばアナログ的に幅規制を実施可能であり、従来のラックアンドピニオン方式のようなギアのバックラッシュによる誤差を排除することができる。
したがって、銘板ラベルのような比較的小型の印字用紙であっても、用紙供給部から用紙印字部にかけての移送路における印字用紙の幅規制を精度よく行うことができ、たとえば幅１０ｍｍ程度の小型の印字用紙であってもガタなく幅規制して、用紙印字部における印字精度ないし印字位置精度を所定レベルに保持することができる。
【図面の簡単な説明】
【００２０】
【図１】本発明の実施例による印字用紙の幅ガイド装置を装備した印字用紙用プリンター１の概略側面図である。
【図２】同、開閉蓋４（および開閉ブラケット１３）を開放した状態の印字用紙用プリンター１の概略側面図である。
【図３】同、幅ガイド装置５（上流側幅ガイド装置６、下流側幅ガイド装置７）の概略斜視図である。
【図４】同、上流側幅ガイド装置６の分解斜視図である。
【図５】同、図４のＶ−Ｖ線断面図であって、図５（１）は、印字用紙８の最大幅に規制した状態の断面図、図５（２）は、印字用紙８の最小幅に規制した状態の断面図である。
【図６】同、下流側幅ガイド装置７の斜視図である。
【図７】同、裏面側から見た下流側幅ガイド装置７の斜視図である。
【図８】同、図７のＶＩＩＩ−ＶＩＩＩ線断面図であって、図８（１）は、印字用紙８の最大幅に規制した状態の断面図、図８（２）は、印字用紙８の最小幅に規制した状態の断面図である。
【図９】同、上流側幅ガイド装置６および下流側幅ガイド装置７による印字用紙８を最大幅に規制した状態の概略平面図である。
【図１０】同、上流側幅ガイド装置６および下流側幅ガイド装置７による印字用紙８を最小幅に規制した状態の概略平面図である。
【図１１】同、下流側ガイドセット機構２８の斜視図であって、図１１（１）は、下流側プーリー２４の固定状態を示し、図１１（２）は、下流側プーリー２４の解除状態を示している。
【図１２】同、下流側ガイドセット機構２８における下流側プーリー２４の固定および解除状態を示す要部側面図であって、図１２（１）は、下流側プーリー２４の解除状態を示し、図１２（２）は、下流側プーリー２４の固定状態を示している。
【図１３】同、上流側ガイドセット機構２７における上流側エンドレスワイヤ２５の固定および解除状態を示す要部側面図であって、図１３（１）は、上流側エンドレスワイヤ２５の解除状態を示し、図１３（２）は、上流側エンドレスワイヤ２５の固定状態を示している。
【発明を実施するための形態】
【００２１】
本発明は、左右一対の幅規制板と、少なくとも一対のプーリーと、ワイヤループを形成するエンドレスワイヤと、を設けたので、幅規制の精度を所定レベル以上に確保可能な印字用紙の幅ガイド装置を実現した。
【実施例】
【００２２】
つぎに本発明の実施例による印字用紙の幅ガイド装置を図１ないし図１３にもとづき説明する。
図１は、印字用紙用プリンター１の概略側面図であって、印字用紙用プリンター１は、プリンター本体２と、プリンター本体２の一端部側の開閉軸３において連結しプリンター本体２に対して開閉する開閉蓋４と、当該幅ガイド装置５（上流側幅ガイド装置６、下流側幅ガイド装置７）と、を有する。
【００２３】
図２は、同、開閉蓋４（および開閉ブラケット１３）を開放した状態の印字用紙用プリンター１の概略側面図である。
プリンター本体２は、印字用紙８の用紙供給部９を開閉軸３側に有するとともに、開閉軸３の用紙移送方向下流側において開閉蓋４との間に用紙印字部１０を有する。
用紙供給部９（上流側幅ガイド装置６）から下流側幅ガイド装置７および用紙印字部１０を経て、開閉軸３の用紙移送方向下流側の用紙排出口１１までを移送路１２としている。
【００２４】
用紙供給部９は、上流側幅ガイド装置６の部分において印字用紙８をロール状に保持し（後述）、用紙印字部１０に向かう移送路１２に帯状に繰り出し可能とする。
【００２５】
開閉蓋４とプリンター本体２との間には、開閉ブラケット１３を開閉蓋４と同様に、開閉軸３まわりに開閉可能に設けている。
【００２６】
とくに図１に拡大して示すように、用紙印字部１０において所定の情報を印字するための帯状の印字用紙８（たとえばラベル連続体）としては、帯状の台紙１４上に複数枚のラベル片１５を仮着した構成のものを採用することができる。
なお図２に仮想線で示すように、必要に応じて、台紙１４上に多列に小型のラベル片１５を設け、銘板ラベルとして用いることもできる。
【００２７】
用紙印字部１０は、開閉ブラケット１３側に設けたサーマルヘッド１６およびプリンター本体２側に設けたプラテンローラー１７と、開閉ブラケット１３側に設けた熱転写リボン１８のリボン供給軸１９およびリボン巻取り軸２０と、を有する。
開閉蓋４および開閉ブラケット１３の開閉にともなって、サーマルヘッド１６およびプラテンローラー１７を離接可能とする。
なお、用紙印字部１０ないしは開閉蓋４の構成によっては、開閉ブラケット１３を設けることなく、開閉蓋４に用紙印字部１０の一部（上記したサーマルヘッド１６、熱転写リボン１８のリボン供給軸１９およびリボン巻取り軸２０など）を備えてもよい。
【００２８】
とくに図２に示すように、移送路１２には、本実施例による印字用紙８の幅ガイド装置５（上流側幅ガイド装置６、下流側幅ガイド装置７）を設けて、各種の印字用紙８の幅に合わせて移送路１２に直交する方向（印字用紙８の幅方向）にそれぞれの印字用紙８を位置調節可能としている。
【００２９】
図３は、幅ガイド装置５（上流側幅ガイド装置６、下流側幅ガイド装置７）の概略斜視図である。
上流側幅ガイド装置６および下流側幅ガイド装置７は、帯状の印字用紙８を用紙印字部１０に向かう移送路１２においてその左右幅部をガイド可能とするために基本的には同様の構成であり、印字用紙８の幅方向に移動調節可能な左右一対の幅規制板（上流側幅規制板２１、下流側幅規制板２２）と、プーリー（左右二対の上流側プーリー２３、左右一対の下流側プーリー２４）と、エンドレスワイヤ（上流側エンドレスワイヤ２５、下流側エンドレスワイヤ２６）と、ガイドセット機構（上流側ガイドセット機構２７、下流側ガイドセット機構２８）と、を有する。
【００３０】
図４は、上流側幅ガイド装置６の分解斜視図であって、上流側幅ガイド装置６は、左右一対の上流側幅規制板２１と、左右二対の上流側プーリー２３と、上流側エンドレスワイヤ２５と、上流側ガイドセット機構２７（図３、図１３）と、を有する。
【００３１】
上流側幅規制板２１は、とくに図３に示すように、用紙供給部９にこれを設けているもので、上流側幅規制板２１の外面部には、ロール状とした印字用紙８を保持しているロール供給軸２９（図中、仮想線）を着脱可能に挟持可能な供給軸機構３０（詳述略）を設け、左右の上流側幅規制板２１の間における収容空間部３１にロール状の印字用紙８を収容可能とする。
さらに、上流側幅規制板２１のそれぞれの内壁面２１Ａが印字用紙８の左右側端部にそれぞれ接触してこれをガイド可能とするように印字用紙８の種類ないし幅に応じて上流側幅規制板２１を幅方向に移動調節可能である。
【００３２】
すなわち、図４に示すように、それぞれの上流側幅規制板２１の下面部には、規制板固定用プレート３２を取付けネジ３３により取り付ける。
プリンター本体２内における左右一対のプリンターブラケット３４に互いに平行な三本のガイドロッド３５を掛け渡しているとともに、規制板固定用プレート３２および上流側幅規制板２１をガイドロッド３５に沿って印字用紙８の幅方向に移動調節操作可能としている。
【００３３】
左右二対の上流側プーリー２３は、プリンターブラケット３４において、上流側幅規制板２１の移動調節方向を含む規制平面内に回転するように印字用紙８の幅方向左右に、また、上流側幅規制板２１の下方部において、かつ、上流側幅規制板２１の左右外方部において印字用紙８の幅方向に沿ってこれを設けている。
より詳細には、上流側プーリー２３は、印字用紙８の幅方向に沿ってその一対を設けるとともに、印字用紙８の移送方向に沿ってその他の一対を設けており、上流側エンドレスワイヤ２５は、この二対の上流側プーリー２３に沿ってこれを掛け回して矩形状を呈する単一のワイヤループ（上流側ワイヤループ３６）を形成する。
【００３４】
また、規制板固定用プレート３２の下面に突出するように上流側ワイヤ固定用プレート３７を設け、上流側エンドレスワイヤ２５の上流側ワイヤループ３６を二分して互いに対向する一対の上流側ワイヤ固定部位３８（上流側ワイヤ固定用プレート３７）においてそれぞれの上流側幅規制板２１を固定し、上流側幅規制板２１の印字用紙８の幅方向における移動調節にともなって上流側エンドレスワイヤ２５が上流側プーリー２３に沿って作動するようにしている。
したがって、印字用紙８の幅に合わせて左右の上流側幅規制板２１の少なくともいずれか一方をガイドロッド３５に沿って移動させて印字用紙８の幅を規制すると、他の上流側幅規制板２１が上流側エンドレスワイヤ２５を介して同一の移動分だけ移動するように接近あるいは離反し、移送路１２の中心線の左右対称位置に印字用紙８の両側端部を位置させることができる。
【００３５】
すなわち、図５は、図４のＶ−Ｖ線断面図であって、図５（１）は、印字用紙８の最大幅に規制した状態の断面図、図５（２）は、印字用紙８の最小幅に規制した状態の断面図である。
図５に示すように、上流側幅規制板２１の調節操作により移送路１２の幅方向における中心線に印字用紙８の中心を位置させたまま、印字用紙８の幅に応じてその左右両側端部を規制することができる。
とくに図５（１）に示すように、上流側幅規制板２１がプリンターブラケット３４の内壁面３４Ａに当接することにより、印字用紙８の最大幅を制限している。
とくに図５（２）に示すように、上流側幅規制板２１の内方突出端縁部２１Ｂが互いに当接することにより、印字用紙８の最小幅を制限している。
【００３６】
図６は、前記下流側幅ガイド装置７の斜視図、図７は、同、裏面側から見た下流側幅ガイド装置７の斜視図である。
下流側幅ガイド装置７は、上流側幅ガイド装置６（図４、図５）と同様の構成であって、左右一対の下流側幅規制板２２と、一対の下流側プーリー２４と、下流側エンドレスワイヤ２６と、下流側ガイドセット機構２８（図３、図１１）と、を有する。
【００３７】
下流側幅規制板２２は、用紙印字部１０の上流側近傍にこれを設けているもので、左右の下流側幅規制板２２の間における収容空間部３９に帯状の印字用紙８を移送可能とするとともに、その内壁面２２Ａが印字用紙８の左右側端部にそれぞれ接触してこれをガイド可能とするように印字用紙８の幅方向に移動調節操作可能である。
【００３８】
図８は、図７のＶＩＩＩ−ＶＩＩＩ線断面図であって、図８（１）は、印字用紙８の最大幅に規制した状態の断面図、図８（２）は、印字用紙８の最小幅に規制した状態の断面図である。
それぞれの下流側幅規制板２２の下面部には、規制板固定用プレート４０を取付けネジ４１により取り付ける。
プリンターブラケット３４にガイドプレート４２を掛け渡しているとともに、規制板固定用プレート４０および下流側幅規制板２２をガイドプレート４２に沿って印字用紙８の幅方向に移動調節操作可能としている。
【００３９】
左右一対の下流側プーリー２４は、プリンターブラケット３４において、下流側幅規制板２２の移動調節方向を含む規制平面内に回転するように印字用紙８の幅方向左右に、また、下流側幅規制板２２の下方部において、かつ、下流側幅規制板２２の左右外方部において印字用紙８の幅方向に沿ってこれを設けている。
より詳細には、下流側プーリー２４は、印字用紙８の幅方向に沿ってその一対を設けるとともに、下流側エンドレスワイヤ２６は、この一対の下流側プーリー２４に沿ってこれを掛け回して単一のワイヤループ（下流側ワイヤループ４３）を形成する。
【００４０】
また、規制板固定用プレート４０の下面に突出するように下流側ワイヤ固定用プレート４４を設け、この下流側エンドレスワイヤ２６の下流側ワイヤループ４３を二分して互いに対向する一対の下流側ワイヤ固定部位４５（下流側ワイヤ固定用プレート４４）においてそれぞれの下流側幅規制板２２を固定し、下流側幅規制板２２の印字用紙８の幅方向における移動調節にともなって下流側エンドレスワイヤ２６が下流側プーリー２４に沿って作動するようにしている。
したがって、印字用紙８の幅に合わせて左右の下流側幅規制板２２の少なくともいずれか一方をガイドプレート４２に沿って移動させて印字用紙８の幅を規制すると、他の下流側幅規制板２２が下流側エンドレスワイヤ２６を介して同一の移動分だけ移動するように接近あるいは離反し、移送路１２の中心線の左右対称位置に印字用紙８の両側端部を位置させることができる。
【００４１】
図８に示すように、下流側幅規制板２２の調節操作により移送路１２の幅方向における中心線に印字用紙８の中心を位置させたまま、印字用紙８の幅に応じてその左右両側端部を規制することができる。
とくに図８（１）に示すように、下流側幅規制板２２がプリンターブラケット３４の内壁面３４Ａに当接することにより、印字用紙８の最大幅を制限している。
とくに図８（２）に示すように、下流側幅規制板２２の内方突出端縁部２２Ｂが互いに当接することにより、印字用紙８の最小幅を制限している。
【００４２】
こうした構成の幅ガイド装置５（上流側幅ガイド装置６、下流側幅ガイド装置７）において、移送路１２において移送されてゆく帯状の印字用紙８は、従来のラックアンドピニオン方式のようなギアのかみ合いに依存するような幅規制構成によってではなく、エンドレスワイヤ（上流側エンドレスワイヤ２５、下流側エンドレスワイヤ２６）を採用した上流側幅ガイド装置６および下流側幅ガイド装置７によって、無段階的にその位置合わせないし幅合わせが可能となり、移送路１２におけるガタが排除されて印字用紙８の幅が適正に規制されることになる。
すなわち、図９は、上流側幅ガイド装置６および下流側幅ガイド装置７による印字用紙８を最大幅に規制した状態の概略平面図、図１０は、上流側幅ガイド装置６および下流側幅ガイド装置７による印字用紙８を最小幅に規制した状態の概略平面図である。
【００４３】
図９および図１０に示すように、また既述のように、上流側幅ガイド装置６の上流側プーリー２３は、印字用紙８の幅方向に沿ってその一対を設け、印字用紙８の移送方向に沿ってその他の一対を設けているとともに、上流側エンドレスワイヤ２５は、それぞれの対の上流側プーリー２３にそれぞれ掛け回して一本の上流側ワイヤループ３６を形成している。
下流側幅ガイド装置７の下流側プーリー２４は、印字用紙８の幅方向に沿ってその一対を設けるとともに、下流側エンドレスワイヤ２６は、下流側プーリー２４に掛け回して一本の下流側ワイヤループ４３を形成している。
したがって、上流側ワイヤループ３６および下流側ワイヤループ４３それぞれにおいて、上流側幅規制板２１および下流側幅規制板２２を印字用紙８の幅に合わせて適宜移動調節操作することにより印字用紙８の幅を規制することができるとともに、上流側幅規制板２１および下流側幅規制板２２は、上流側ワイヤループ３６および下流側ワイヤループ４３の任意の位置に位置合わせすることができるので、移送路１２上の二カ所において印字用紙８あるいはそのラベル片１５のサイズに応じて幅規制の精度を所定レベルに維持することができる。
【００４４】
つぎに、前記上流側ガイドセット機構２７および下流側ガイドセット機構２８（図３）は、上述のように位置合わせを行った上流側幅規制板２１および下流側幅規制板２２を所定の位置に固定セットするものである。
すなわち、上流側ガイドセット機構２７および下流側ガイドセット機構２８は、プーリー（上流側プーリー２３、下流側プーリー２４）あるいはエンドレスワイヤ（上流側エンドレスワイヤ２５、下流側エンドレスワイヤ２６）の少なくともいずれか一方を固定可能である。
本実施例において具体的には、上流側ガイドセット機構２７が上流側エンドレスワイヤ２５を固定し、下流側ガイドセット機構２８が下流側プーリー２４を固定している。
【００４５】
上流側ガイドセット機構２７および下流側ガイドセット機構２８は、事実上同様の構成を採用することができる。
たとえば図１１は、下流側ガイドセット機構２８の斜視図であって、図１１（１）は、下流側プーリー２４の固定状態を示し、図１１（２）は、下流側プーリー２４の解除状態を示している。
下流側ガイドセット機構２８は、取付けプレート４６と、可動セットプレート４７と、押しバネ４８と、操作レバー４９と、を有する。
【００４６】
取付けプレート４６は、プリンターブラケット３４に取付けネジ５０によりこれを固定するとともに、プリンターブラケット３４との間において下流側プーリー２４の軸方向に沿って取付けプレート４６に対して可動セットプレート４７を上下動可能に支持する。
さらに、プリンターブラケット３４に垂直に突出するそのバネ取付け板４６Ａと可動セットプレート４７との間に押しバネ４８を介装して可動セットプレート４７を図中、上方に（可動セットプレート４７の固定状態に）常時付勢可能としている。
【００４７】
可動セットプレート４７は、プリンターブラケット３４に垂直に突出するその下方部のプーリー押圧板４７Ａが下流側プーリー２４の下方部に位置して、下流側プーリー２４を下方部から押し上げ固定可能としているとともに、プリンターブラケット３４に垂直に突出するその上方部のレバー当接板４７Ｂが操作レバー４９に当接可能となっている。
【００４８】
操作レバー４９は、下流側幅規制板２２とは異なる部位（プリンターブラケット３４における操作軸５１）まわりにこれを回動操作可能に設けて、下流側プーリー２４を固定状態とするセット位置（図１１（１））、および下流側プーリーの固定状態を解除するセット解除位置（図１１（２））に可動セットプレート４７を操作可能である。
【００４９】
こうした構成の下流側ガイドセット機構２８において、操作レバー４９の操作により、下流側プーリー２４を固定したり、その固定状態を解除することができ、印字用紙８の幅規制を行った下流側幅規制板２２をその位置にロックしてずらすことがなく、また、そのロックを簡単に解除して再度の幅規制操作を容易に実行可能である。
すなわち、図１２は、下流側ガイドセット機構２８における下流側プーリー２４の固定および解除状態を示す要部側面図であって、図１２（１）は、下流側プーリー２４の解除状態を示し、図１２（２）は、下流側プーリー２４の固定状態を示している。
とくに図１１（２）および図１２（２）に示すように、操作レバー４９を操作軸５１まわりに、図１１中、時計方向に回動して、押しバネ４８の付勢力に抗して可動セットプレート４７を図中、下方に押し込むと、下流側プーリー２４とプーリー押圧板４７Ａとの間に解除空隙Ｘをあけて下流側プーリー２４を自由回転可能とし、下流側幅ガイド装置７における下流側幅規制板２２を印字用紙８の幅に合わせた位置調節操作を可能とする。
【００５０】
とくに図１１（１）および図１２（１）に示すように、操作レバー４９を操作軸５１まわりに、図中、反時計方向に回動して、押しバネ４８の付勢力により可動セットプレート４７を図１１中、上方に復帰させると、下流側プーリー２４とプーリー押圧板４７Ａとの間に解除空隙Ｘをなくして下流側プーリー２４をそのセット位置に固定可能とし、下流側幅ガイド装置７における下流側幅規制板２２を印字用紙８の幅に合わせた調節位置に固定することができる。
【００５１】
なお本発明における幅ガイド装置５の上流側ガイドセット機構２７は、上述の下流側ガイドセット機構２８と同様に、上流側プーリー２３を固定およびその解除を行うような構成を採用することもできるが、上流側エンドレスワイヤ２５を固定およびその解除を行うように構成することもできる。
すなわち、図１３は、上流側ガイドセット機構２７における上流側エンドレスワイヤ２５の固定および解除状態を示す要部側面図であって、図１３（１）は、上流側エンドレスワイヤ２５の解除状態を示し、図１３（２）は、上流側エンドレスワイヤ２５の固定状態を示している。
【００５２】
上流側ガイドセット機構２７は、上流側プーリー２３の軸方向（すなわち、上流側エンドレスワイヤ２５の径方向）に沿って上下動する前記可動セットプレート４７と、固定セットプレート５２と、を有する。
この固定セットプレート５２は、プリンターブラケット３４から上流側エンドレスワイヤ２５の上部に突出する方向にこれを形成しているもので、可動セットプレート４７のプーリー押圧板４７Ａとの間に上流側エンドレスワイヤ２５を挟持して固定可能である。
【００５３】
可動セットプレート４７および固定セットプレート５２は、既述した下流側ガイドセット機構２８における操作レバー４９と同一の操作により、上流側エンドレスワイヤ２５を固定および解除可能としている。
【００５４】
こうした構成の上流側ガイドセット機構２７においても、操作レバー４９の操作により、上流側エンドレスワイヤ２５を固定したり、その固定状態を解除することができ、印字用紙８の幅規制を行った上流側幅規制板２１をその位置にロックしてずらすことがなく、また、そのロックを簡単に解除して再度の幅規制操作を容易に実行可能である。
【００５５】
本発明においては必要であれば、可動セットプレート４７および固定セットプレート５２により上流側エンドレスワイヤ２５の代わりに上流側プーリー２３を固定および解除可能とすることもできる。
【００５６】
かくして、印字用紙用プリンター１、上流側幅ガイド装置６および下流側幅ガイド装置７において、用紙供給部９から移送路１２に向かって帯状に繰り出された印字用紙８は、幅ガイド装置５（上流側幅ガイド装置６、下流側幅ガイド装置７）によりその幅を適正に規制されて、用紙印字部１０において印字され、印字用紙８から印字用紙用プリンター１外に発行排出される。
【００５７】
この印字用紙８の幅を規制調節する幅ガイド装置５が上流側エンドレスワイヤ２５および下流側エンドレスワイヤ２６を採用しているので、移送路１２上における二カ所において印字用紙８の幅を任意の長さに正確に調節可能であり、用紙印字部１０における印字位置精度を所定レベルに維持可能である。
【００５８】
なお、本発明においては、上流側幅ガイド装置６あるいは下流側幅ガイド装置７のいずれか一方を設ければ足りる。
また、上流側幅規制板２１あるいは下流側幅規制板２２の移送路１２方向への長さを任意に調整することによって、より長い移送路１２部分において印字用紙８の幅を規制することができる。
【符号の説明】
【００５９】
１  印字用紙用プリンター（図１、図２）
２  プリンター本体
３  開閉軸
４  開閉蓋
５  印字用紙８の幅ガイド装置（上流側幅ガイド装置６、下流側幅ガイド装置７）（実施例、図３）
６  上流側幅ガイド装置（幅ガイド装置）
７  下流側幅ガイド装置（幅ガイド装置）
８  印字用紙（ラベル連続体）
９  用紙供給部
１０  用紙印字部
１１  用紙排出口
１２  移送路
１３  開閉ブラケット
１４  台紙
１５  ラベル片
１６  サーマルヘッド
１７  プラテンローラー
１８  熱転写リボン
１９  リボン供給軸
２０  リボン巻取り軸
２１  上流側幅規制板（幅規制板）
２１Ａ  上流側幅規制板２１の内壁面
２１Ｂ  上流側幅規制板２１の内方突出端縁部（図５（２））
２２  下流側幅規制板（幅ガイド装置）
２２Ａ  下流側幅規制板２２の内壁面
２２Ｂ  下流側幅規制板２２の内方突出端縁部（図８（２））
２３  上流側プーリー（プーリー）
２４  下流側プーリー（プーリー）
２５  上流側エンドレスワイヤ（エンドレスワイヤ）
２６  下流側エンドレスワイヤ（エンドレスワイヤ）
２７  上流側ガイドセット機構（ガイドセット機構、図３、図１３）
２８  下流側ガイドセット機構（ガイドセット機構、図３、図１１）
２９  ロール供給軸（図３）
３０  供給軸機構
３１  左右の上流側幅規制板２１の間におけるロール状の印字用紙８の収容空間部
３２  規制板固定用プレート（図４、図５）
３３  取付けネジ
３４  プリンターブラケット
３５  ガイドロッド
３６  上流側ワイヤループ（ワイヤループ）
３７  上流側ワイヤ固定用プレート（ワイヤ固定用プレート）
３８  上流側ワイヤ固定部位（ワイヤ固定部位）
３９  左右の下流側幅規制板２２の間における帯状の印字用紙８収容空間部
４０  規制板固定用プレート（図６、図８）
４１  取付けネジ
４２  ガイドプレート
４３  下流側ワイヤループ（ワイヤループ）
４４  下流側ワイヤ固定用プレート（ワイヤ固定用プレート）
４５  下流側ワイヤ固定部位（ワイヤ固定部位）
４６  取付けプレート（図１１）
４６Ａ  取付けプレート４６のバネ取付け板
４７  可動セットプレート
４７Ａ  可動セットプレート４７のプーリー押圧板
４７Ｂ  可動セットプレート４７のレバー当接板
４８  押しバネ
４９  操作レバー
５０  取付けネジ
５１  操作レバー４９の操作軸
５２  固定セットプレート
Ｘ    下流側プーリー２４とプーリー押圧板４７Ａとの間における解除空隙（図１１（２）、図１２（２））
【図１】
2011046512.tif 000003
【図２】
2011046512.tif 000004
【図３】
2011046512.tif 000005
【図４】
2011046512.tif 000006
【図５】
2011046512.tif 000007
【図６】
2011046512.tif 000008
【図７】
2011046512.tif 000009
【図８】
2011046512.tif 000010
【図９】
2011046512.tif 000011
【図１０】
2011046512.tif 000012
【図１１】
2011046512.tif 000013
【図１２】
2011046512.tif 000014
【図１３】
2011046512.tif 000015